(57)【要約】　　　（修正有）【課題】係止具による直接嵌止方式を利用し、迅速に側板をケースの両側に固定できるようにし、これにより人力、作業時間を節約し、修理時の分解再組立に便利で、製品の競争力を高められる、コンピュータケース側板の係止装置の提供。【解決手段】係止シートと係止ブロックで組成された係止具により、直接嵌止する方式でコンピュータケース側板を迅速にケースに組み付けることができるコンピュータケース側板の係止装置であり、係止ブロックの操作ブロックを回すだけで、係止ブロックの一端の押しブロックが側板の折り辺を圧迫して係止するコンピュータケース側板の係止装置である。【選択図】　　図３
0003099036.tif 000002
【実用新案登録請求の範囲】
【請求項１】
　コンピュータのケースの二つの側板を係止具を利用し該ケースの両側に直接係止するのに供され、該ケースの係止具の取り付け部分に穿孔が設けられ、該穿孔の傍らに横向きの滑り溝が設けられ、該穿孔の側縁に係止辺が設けられ、該滑り溝の上端と下端にフック孔が設けられているコンピュータケース側板の係止装置において、該係止装置は係止シートと係止ブロックで組成され、
　該係止シートは、中間に挟持溝を具え、該挟持溝の上側と下側に軸孔が設けられ、前縁の上端と下端にフックが設けられ、該フックがケースのフック孔に係合し、背面にケースの係止辺に係止される別のフックが設けられ、
　該係止ブロックは、一端が係止シートの挟持溝内に進入し、上側と下側に軸が設けられ、該軸が係止シートの軸孔に挿入され結合され、別辺にケースの穿孔端より挿入される操作ブロックが設けられ、操作ブロックの別端が押しブロックとされ、
　側板をケースに取り付ける時、係止ブロックの操作ブロックを回して係止ブロックに軸を中心として係止シートの滑り溝内を移動させて側板の折り辺のコ形孔内に挿入させることにより、係止ブロックの押しブロックが側板の折り辺を圧迫して側板をケースに係止することを特徴とする、コンピュータケース側板の係止装置。
【考案の詳細な説明】
【技術分野】
【０００１】
　本考案は一種のコンピュータケース側板の係止装置に係り、特に、コンピュータケース側板をネジを使用せずに固定でき、係止具を利用するだけで非常に迅速にコンピュータケースの両側に組み付けることができるコンピュータケース側板の係止装置に関する。
【背景技術】
【０００２】
　図１に示されるように、一般にコンピュータ１０のケース１００周辺にはパネル２００、上板３００及び二つの側板４００等の板体が固定され、コンピュータ１０全体の被覆している。そのうち、二つの側板４００の固定の方式は、ネジＡを側板４００の穿孔４０１に通し、さらにケース１００のネジ孔１０１内にねじ込む、というものである。このようなネジ止め方式には以下のような欠点がある。
　１．人力がかかる。
　２．時間を浪費する。
　３．ネジ回し等の工具が必要である。
　４．大量生産時に迅速に組立が行なえない。
　５．修理分解時に時間と手間がかかる。
【考案の開示】
【考案が解決しようとする課題】
【０００３】
　上述の従来のネジ止めによるコンピュータケース側板の固定の欠点を鑑み、本考案は従来の製品の欠点を排除でき、機能を高めたコンピュータケース側板の係止装置を提供するものである。
【０００４】
　ゆえに、本考案の主要な目的は、一種のコンピュータケース側板の係止装置を提供することにあり、それは、係止具による直接嵌止方式を利用し、迅速に側板をケースの両側に固定できるようにし、これにより人力、作業時間を節約し、修理時の分解再組立に便利で、製品の競争力を高められるものとする。
【課題を解決するための手段】
【０００５】
　請求項１の考案は、コンピュータのケースの二つの側板を係止具を利用し該ケースの両側に直接係止するのに供され、該ケースの係止具の取り付け部分に穿孔が設けられ、該穿孔の傍らに横向きの滑り溝が設けられ、該穿孔の側縁に係止辺が設けられ、該滑り溝の上端と下端にフック孔が設けられているコンピュータケース側板の係止装置において、該係止装置は係止シートと係止ブロックで組成され、
　該係止シートは、中間に挟持溝を具え、該挟持溝の上側と下側に軸孔が設けられ、前縁の上端と下端にフックが設けられ、該フックがケースのフック孔に係合し、背面にケースの係止辺に係止される別のフックが設けられ、
　該係止ブロックは、一端が係止シートの挟持溝内に進入し、上側と下側に軸が設けられ、該軸が係止シートの軸孔に挿入され結合され、別辺にケースの穿孔端より挿入される操作ブロックが設けられ、操作ブロックの別端が押しブロックとされ、
　側板をケースに取り付ける時、係止ブロックの操作ブロックを回して係止ブロックに軸を中心として係止シートの滑り溝内を移動させて側板の折り辺のコ形孔内に挿入させることにより、係止ブロックの押しブロックが側板の折り辺を圧迫して側板をケースに係止することを特徴とする、コンピュータケース側板の係止装置としている。
【考案の効果】
【０００６】
　本考案のコンピュータケース側板の係止装置は、ネジ等の部品及び工具を使用せずに、係止具を利用して迅速に側板をコンピュータケースに固定でき、これにより製品の競争力を高めることができ、実用性を有している。
【考案を実施するための最良の形態】
【０００７】
　図２、３に示されるように、本考案はパネル１２、上板１３及び二つの側板１４を具えたコンピュータ１のケース１１に運用されるコンピュータケース側板の係止装置である。
【０００８】
　本考案によると、二つの側板１４は、上下の二つの係止具２により直接ケース１１に固定される。該ケース１１の係止具２の取り付けに供される部分に穿孔１１１が設けられ、穿孔１１１の傍らに一体に横向きの滑り溝１１１１が設けられ、該穿孔１１１の側辺に係止辺１１１２が設けられ、滑り溝１１１１の上方と下方にそれぞれフック孔１１２が設けられている。
【０００９】
　図４に示されるように、係止具２は係止シート２１と係止ブロック２２が組み合わされてなる。係止シート２１の中間の挟持溝２１１に係止ブロック２２の一端が進入し、係止シート２１の上側と下側にそれぞれ半円形の軸孔２１２が設けられ、該軸孔２１２は係止ブロック２２の上端と下端の円柱形の軸２２１の嵌入に供され、これにより係止シート２１と係止ブロック２２が枢接され位置決めされる。係止ブロック２２の別端に操作ブロック２２２が設けられ、操作ブロック２２２の別端に押しブロック２２２１が設けられている。操作ブロック２２２はケース１１の穿孔１１１より挿入されて滑り溝１１１１内を移動可能とされる。係止シート２１の前縁の上下端にフック２１３が設けられ、該フック２１３はそれぞれケース１１の二つのフック孔１１２内に挿入され固定され、係止シート２１の背面にフック２１４が設けられ、この背面のフック２１４がケース１１の係止辺１１１２を形成する。
【００１０】
　二つの側板１４がそれぞれケース１１の二側に組み付けられる時、図５においては、側板１４の折り辺１４１のコ形孔１４１１は係止具２により係止されず、側板１４はケース１１に係止されていない。図６に示されるように、使用者が係止ブロック２２の操作ブロック２２２を回すと、係止ブロック２２が軸２２１を中心として移動し、並びに側板１４の折り辺１４１のコ形孔１４１１内に進入させられ、操作ブロック２２２の別端の押しブロック２２２１が緊密の側板１４の折り辺１４１を圧迫し、迅速に側板１４が係止される。
【００１１】
　総合すると、本考案のコンピュータケース側板の係止装置は、係止シートと係止ブロックで組成された係止具を利用し、迅速に側板をコンピュータケースに係止でき、組立時間を節約し、製品の競争力を増し、高い実用性を具えている。
【図面の簡単な説明】
【００１２】
【図１】周知の製品の斜視図である。
【図２】本考案の斜視図である。
【図３】本考案の係止具の組合せ構造図である。
【図４】本考案の係止具の分解図である。
【図５】本考案の平面断面図（開放時）である。
【図６】本考案の平面断面図（係止時）である。
【符号の説明】
【００１３】
１　コンピュータ　　　　　１１　ケース　　　１１１　穿孔
１１１１　滑り溝　　　　　１１１２　係止辺　１１２　フック孔
１２　パネル　　　　　　　１３　上板　　　　１４　側板
１４１　折り辺　　　　　　１４１１　コ形孔　２　係止具
２１　係止シート　　　　　２１１　挟持溝　　２１２　軸孔
２１３　フック　　　　　　２１４　フック　　２２　係止ブロック
２２１　軸　　　　　　　　２２２　操作ブロック　２２２１　押しブロック
１０　コンピュータ　　　　１００　ケース　　　　１０１　ネジ孔
２００　パネル　　　　　　３００　上板　　　　　４００　側板
４０１　穿孔　　　　　　　Ａ　ネジ孔
【図１】
0003099036.tif 000003
【図２】
0003099036.tif 000004
【図３】
0003099036.tif 000005
【図４】
0003099036.tif 000006
【図５】
0003099036.tif 000007
【図６】
0003099036.tif 000008